(57)【要約】【課題】  最もシンプルな形でワンタッチの嵌脱装着が出来、しかも、暴力スリ、ヒッタクり、うっかりミスによる脱落防止の為、ダブル・ロックが掛るアイデアを生かした、ポシェット用バックルを提供。【解決手段】  本考案は、公知の雌雄型ポシェット・バックルの形を生かしたまま改良を加え、ロックが掛る開口部を新しく設けたものである。雌部の収容体１にある従来の一対の開口部３に、更に、片側が直角４の空洞を有し、対面に保持壁兼カギ止め６Ａを有った一対の開口部３Ａを穿ち、ストッパーの役目であるダブル・ロックが掛るようにした。仮に外力によりフック１５が保持壁兼カギ止め６を外れたとしても、フック１５が３Ａにスライドし、１３のカギは保持壁兼カギ止め６Ａにロックされるようにし、ヒッタクリ、暴力スリ、うっかりミスからのポシェット脱落防止をした。【選択図】図１
0003104995.tif 000002
【実用新案登録請求の範囲】
【請求項１】
一般に公知のポシェット用バックルの改良型で、雌部のフック引っ掛けのための開口部が、更にもう一対穿たれ二対になっている形のものである。バックルの雌雄結合状態からの不用意な外れを防止するために、雌部の収容体１にある雄部の差込体１０のフック１５が、開口部３に停止、カギ１３を保持壁兼カギ止め６に掛かっている状態を第一開口部のロックとし、同じ収容体の入口に向かい、一対の開口部の４は直角の空洞として穿たれていて、フック１５がスムースに通過し易くなっており、対面に第一開口部保持壁兼カギ止め６と、同じ形体の保持壁兼カギ止め６Ａを有った開口部３Ａを設け、これを第二開口部のロック場所とした。仮に何らかの外力により雄部差込体のフック１５が、３から３Ａに不測のスライドをしても、６Ａで完全にロックされるダブルロックの構造であること。
【考案の詳細な説明】
【技術分野】
【０００１】  従来公知のバックルは、雌部の収容体１に雄部フック１５のカギ１３が保持壁兼カギ止め６に引っ掛かるように、開口部３を一対穿ってある。本考案は更に改良を加え、収容体の入口に向かい一対の開口部３Ａを設けてある。３Ａの開口部は、片側が直角壁４の空洞になり、相対して従来の形同様のフック保持壁兼カギ止め６Ａを有った開口部として穿ってあり、フック１５がスムースに移動しやすくした。従来の開口部３を第一、新開口部３Ａを第二と名付けたダブルロックとして作用させるのが目的であり、雄部差込体のフック１５が何らかの外的力によって保持壁兼カギ止め６を外れて入口に向かってスライドしたとしても、第二の開口部で完全にロックされる安全形体のバックルであるとした。
【背景技術】
【０００２】  一般的なバックルとしては、既に公知のものがある。即ち、バックル本体は受側としての収容体１と差込体１０とで成り立っていて、その機能は、差込体のフック１５が開口部３の保持壁兼カギ止め６で、フックのカギ１３が引っ掛かるようになっていて、雌部である収容体１と雄部である差込体１０が結合されるバックル本来の働きを成す。
【考案の開示】
【考案が解決しようとする課題】
【０００３】  バックルが雌部である収容体１と、雄部である差込体１０が合致するための本来の働きを成すために、雄部の差込体１０がスムースに雌部の収容体１に挿入され、完全に結合するための工夫がなされている。雄部差込体のガイド支え１４Ａから延びたガイド１４は、雌部収容体１の受け側の入口８にガイドレール７が敷かれ、１４を誘導する。差込体と収容体が密着、合致させるために、差込体のフック１５が、収容体１の開口部３に進んだ時、フックのカギ１３が保持壁兼カギ止め６に引っ掛かりロックされる状態になる。が、この様な従来の構造だけでは不十分で、暴力スリやヒッタクリなどの不測な事態やうっかりミスの事故が起きれば、フック１５にちょっと触れただけで、カギ１３が簡単に外れポシェットは脱落してしまう。
【課題を解決するための手段】
【０００４】  本考案は、上記公知のバックルの弱点を補うために収容体１に改良を加えたものである。収容体１に、更に開口部３Ａを設け、従来よりある開口部３を便宜上第一ロック、意図的に穿った開口部を３Ａとし、第二ロックとした。差込体のフック１５が、仮に何らかの力が加わって６を辷り抜けたとしても、保持壁兼カギ止め６Ａに引っ掛かりバックルの外れを防止するよう工夫した。
【考案の効果】
【０００５】  本考案は、ワンタッチで雌雄が結合装着出来る簡便性は勿論だが、雌部収容体に新たに第二開口部を設けたことで、予期せぬ外的な力で第一開口部での雌雄結合が解かれたとしても、第二開口部に移動した雄部のフックがその場で定置し、完全な雌雄結合体が実施、維持されるよう工夫成されたポシェット用バックルで、安全性において抜群で、万が一の脱落を念頭におく必要は全く無い。【０００６】  一般にバックル本来の目的は、ベルトとベルトを結合する接続部であり、確実に接続出来且万が一の脱落を防げる安全性の面にも配慮されていなければ、バックル本来の使命を失う。本考案のダブル・ロックのバックルは、従来の構造を僅か改良しただけで、ワンタッチで装着出来、万が一の脱落をも防ぐバックル本来の働きを兼ね備えている。
【考案の実施をするための最良の形態】
【０００７】  雌部である収容体１と雄部である差込体１０をスムースに結合するためには、弾性体の橋脚部１２の先端部のフック１５が、ガイド１４と共に収容体１の挿入口にあるガイドレール７Ａに導かれるようになっている。導かれて差し込まれたフック１５は、第二ロックである開口部３Ａを一気に通過し、第一ロックである開口部３に達し、カギ１３で保持壁兼カギ止め６に引っ掛かり差込体１０は固定する。これで、最初の目的であるベルトとベルトの結合が完成し、バックルの第一の使命が達成された。
【０００８】  本考案の第二の使命である脱落防止のメカニズムは、一度第一ロックに入っているフック１５が、何らかの外的力が加わって、カギ１５が保持壁兼カギ止め６を外れた場合、弾性のある脚部１２に支えられていて、収容体１の側壁を押しながら差し込みの外側に向かって押し出される力が働き、第二開口部３Ａに向かって辷り込む。その際脚部１２の弾性による反発を受けたフックは、一気に押し上げられ第二開口部３Ａの保持壁兼カギ止め６Ａにフックのカギ１３が引っ掛かり、差込体全体がロックされる。これで、第二の目的である脱落防止の安全性が確保された。
【実施例】
【０００９】  以下、添付図面に従って実施例を説明する。図１は、第一開口部にフックが装填された、雌雄結合バックルの正面図だが、１は、バックルの雌部の収容体であり、１０は、雄部差込体を示す。１と１０は、ベルト１６で雌雄結合されている図を示している。これら結合体は、プラスチックなど、可塑性、耐久性のある材質で一体形成されたものである。尚図１は、第一開口部に雄部差込体が定置した、雌雄結合バックルの通常の状態の姿を示している。だが、図２の正面圧縮図は、第二開口部にフックが装填された緊急時の雌雄結合の姿で、所謂ダブル・ロックが掛かった状態のバックル図を示している。図１は、差込体のフック１５が、第一開口部３に定置して、第一ロックが掛かった状態であるのに対し、図２は、フック１５が第二開口部で結合した状態の図を示している。雌部収容体の第二開口部である３Ａは、本考案が意図して穿った、重要な役目をする開口部の箇所で、そこには、４の直角に空いた空洞を設け、図２  図６  図７  図８に示したフック１５が、４の空洞を容易にくぐり抜け、ワンタッチで装着出来るように工夫した。弾性のある差込脚部１２にて支えられたフック１５は、何らかの外的作用により、３の開口部をすり抜けた場合には、４の空洞を直接素通りし、３Ａの開口部に確実に収まるようにした。図４  図５で示した２は、収容体１のベルト受け杆である。図２  図４  図５に示した５は、６の保持壁兼カギ止めと違い、成型の型取りの便宜上残ったものであるが、開口部補強ともなっている。図３に示した収容体入口の図は、雌部・収容体の差し込み口から見た平面図だが、この収容体は、上蓋側と下蓋側の物理的に作用する働きは全く同じなものなので、収容体の入口の中心線の外側の交点に当たる接点を、それぞれＷａ、Ｗｂとして、奥部に向かって水平に切断する基準線を引き、図４の雌部・収容体の上・底面図として図解した。図４  図５に示した７は、収容体の上・下蓋に設けられたガイドレールであり、図６  図８に示した差込ガイド支え１４Ａから延びたガイド１４を、確実に誘導するためのものである。図６  図７  図８に示した雄部１７Ａは、ベルト受け本体で、雄部１１Ａのギサギザな受け杆と協力してベルトの辷りを防いでいる。図４  図５に示した８は、ガイド１４を受ける入口である。９は、収容体の上、下蓋面に貼りつけられた開口部の補強部である。図６  図７  図８雄部に示した１１Ａは、差込体１０のベルトの固定杆である１７Ａを通ったベルト１６を、辷らぬように歯止めを掛ける役目をしている。１１は、１０の雄部差込体を補強する板の一種で、１７Ａの雄部のベルト受けである引っ掛け杆を支え、１４のガイドを支える１４Ａのガイド支えと共に、全体を補強する役目を負っている。図２  図６  図７  図８で示した１３は、フックのカギで、６や６Ａに作用し、バックルにロックを働く、最重要な役目を担っている。本考案は、以上のような構成と働きによって成り立っている。
【産業上の利用可能性】
【００１０】  本考案をポシェット・バックルに絞って焦点を当てた理由は、近来社会生活が豊かに成ればなるほど人々の移動は激しさを増し、老若男女や国籍を問わず地球規模で広がっている。その際、人々が必ずと言っていいほど所持しているのがポシェットであることに思いが至った。ポシェットは、今や日常生活の上で完全な必需品となっている。それ程大切な必需品は、是非安全な持ち物として守られなければならぬ。それには、どうしても信頼のおけるバックルで、ポシェットが守られていなければならぬ。第一にバックルの操作が簡単で、尚且つ不用意にボシェットが脱落しないといった安心条件が揃うことが肝要で、脱落の不安材料を取り除く必要に迫られた。そのことが本案件考案の切っ掛けとなった。人々の大切な必需品のポシェットを、スリ、ヒッタクリ、うっかりミスによる脱落から守るためには、本考案のポシェット用ダブルロック・バックルが、是が非でも必要であった。そんな意味で、本件考案の需要は増し、世界規模的にも要求され、今後の需要は計り知れたものではない。
【図面の簡単な説明】
【００１１】
【図１】第一開口部にフックが装填された雌雄結合バックル正面図。
【図２】第二開口部にフックが装填された雌雄結合バックルの正面圧縮図。
【図３】雌部・収容体の差し込み口から見た平面図。
【図４】雌部・収容体・上、底面図。
【図５】雌部・収容体・上、底面斜視図。
【図６】雄部・差込体・平面図。
【図７】雄部・差込体の縦から見た俯瞰図。
【図８】雄部・差込体・斜視図。
【符号の説明】
【００１２】  １      雌部・収容体。
２      雌部・ベルト受け杆。
２Ａ    雌部・収容体の補強。
３      第一開口部。
３Ａ    第二開口部。
４      第二開口部空洞直角壁。
５      第一開口部・保持壁。
６      第一開口部・保持壁兼カギ止め。
６Ａ    第二開口部・保持壁兼カギ止め。
７      上・下蓋敷設ガイドレール。
８      ガイド入口。
９      上・下蓋開口部補強。
１０      雄部・差込体。
１１      雄部・差込体枠補強。
１１Ａ    ベルト辷り制御。
１２      差込脚部。
１３      フックカギ。
１４      脚部ガイド。
１４Ａ    ガイド支え。
１５      雄部・フック。
１６      ベルト。
１７Ａ    雄部・ベルト引っ掛け杆。
Ｗａ      雌部・収容体の挿入口・上下二分割接点。
Ｗｂ      雌部・収容体の挿入口・上下二分割接点。
【図１】
0003104995.tif 000003
【図２】
0003104995.tif 000004
【図３】
0003104995.tif 000005
【図４】
0003104995.tif 000006
【図５】
0003104995.tif 000007
【図６】
0003104995.tif 000008
【図７】
0003104995.tif 000009
【図８】
0003104995.tif 000010
【手続補正書】
【提出日】平成16年5月19日(2004.5.19)
【手続補正１】
【補正対象書類名】実用新案登録請求の範囲
【補正対象項目名】全文
【補正方法】変更
【補正の内容】
【実用新案登録請求の範囲】
【請求項１】
ポシェット用雌雄結合バックルの改良型であって、
（１）雌部の収容部分に、第一と第二から成る二対の開口部が穿ち設けられてあり、どの開口部にあっても、雄部のフックが常に定置ロックされるような構造になっている。
（２）この特徴ある雌部の改良型バックルの構造は、特に、第二開口部に位置する４の部分は、直角に空けられた空洞で成り、第一開口部３に通常定置してある雄部フック１５が、仮に、何等かの外力により３から外れても、第二開口部３Ａに向かって、スムースにスライド出来る仕組みであり、スライドした雄部のフックカギ１３が、保持壁兼カギ止め６Ａに、容易に且つ確実に引っ掛かって雌雄結合するような、二重ロック構造なのである。
以上からなるポシェット用ダブルロック・バックル。